(57)【要約】　　　（修正有）【課題】　多重緩み防止ナット装置の提供。【解決手段】　上ナット１０と下ナット２０で構成され、上ナットと下ナットの接合部分にねじ孔周囲より軸方向に沿って凹テーパ部と凸テーパ部が形成され、並びに凸テーパ部の周面にねじ孔に向けて微量な偏心が形成され、上ナットのねじ孔上端周囲に凸縁環１３とその内周の係止溝が形成されて、中心に係止孔を具えた緩み防止スチール片３０が設置固定され、上下のナットがボルトに締められ、さらに緩み防止スチール片がボルトのねじ山斜径に締めつけられることで、多重に緩み防止の機能を達成し、並びにキャップが設置されて衝突防止、錆防止及び防塵の効果を形成する。【選択図】　　　　図１
0003100027.tif 000002
【実用新案登録請求の範囲】
【請求項１】
　上ナットと下ナットで構成され、上ナットと下ナットの接合部分にねじ孔周囲より軸方向に沿って凹テーパ部と凸テーパ部が形成され、且つ凸テーパ部或いは凹テーパ部の周面にねじ孔に向けて微量な偏心が形成された多重緩み防止ナット装置において、
　該上ナットにそのねじ孔上端周囲より軸方向に沿って凸縁環が形成され、この凸縁環内周下段に一周の係止溝が形成されて、該係止溝に中心の係止孔を具えた緩み防止スチール片が設置されたことを特徴とする、多重緩み防止ナット装置。
【請求項２】
　請求項１記載の多重緩み防止ナット装置において、上ナットに組み合わされた緩み防止スチール片の上面に底端外周のリップを具えたキャップが設置され、並びに凸縁環の係止溝により位置決めされたことを特徴とする、多重緩み防止ナット装置。
【請求項３】
　請求項１記載の多重緩み防止ナット装置において、上ナットの底端に外向きにフランジが延伸されて、全周の当接部が形成されたことを特徴とする、多重緩み防止ナット装置。
【考案の詳細な説明】
【技術分野】
【０００１】
　本考案は一種の多重緩み防止ナット装置に係り、特に偏心嵌合式の上下のナットに緩み防止スチール片とキャップが組み合わされた多重緩み防止ナット装置に関する。
【背景技術】
【０００２】
　一般に偏心嵌合式の上下のナット構造では、上下のナットの接合部分にねじ孔周囲より軸方向に沿って凹テーパ部と凸テーパ部が対応設置され、並びに凸テーパ部或いは凹テーパ部の周面にねじ孔に向けて微量な偏心が形成されて、緩み防止ナットの組合せ装置が構成されている。
【０００３】
　実際の締めつけ作業においては、ボルトが被固定部品の貫通孔に通され、さらに下ナット及び上ナットで締められる。上下のナットの凸テーパ部と凹テーパ部に偏心押圧が発生し、これにより上ナットと下ナットがボルトに向けて径方向に偏移させられ、楔形応力作用を形成し、緩み防止の効果を発揮する。
【０００４】
　しかし、このような緩み防止ナットは自身のねじ山の締めつけ、及び偏心嵌合押圧力のほか、その他の緩み防止の構造を有さず、更なる改良が必要である。このほか、ボルトのねじ部はナットに挿通されて突出するため、作業員を傷つけやすく、並びに錆を発生しやすい。特に、スリーブレンチでナットを締めつける時、上ナットにスリーブレンチのための当接部の設計がないため、スリーブレンチが下ナットにも套設され、偏心押圧の楔形作用を達成することができなくなり、緩み防止の効果に影響が生じる。
【考案の開示】
【考案が解決しようとする課題】
【０００５】
　本考案の目的は、一種の多重緩み防止ナット装置を提供することにあり、それは、上下のナットの自身のねじ山の締めつけ、及び偏心嵌合押圧力のほかに、上ナットに緩み防止スチール片が加えられ、この緩み防止スチール片がボルトのねじ山斜径上に締めつけられることで、多重緩み防止の機能を達成し、並びにキャップが設けられて、怪我や錆の防止及び防塵の効果を達成し、また、上ナットにフランジが設けられて、全周のスリーブレンチのための当接部が形成され、実際の必要に符合し、産業上の利用に供され得るものとする。
【課題を解決するための手段】
【０００６】
　請求項１の考案は、上ナットと下ナットで構成され、上ナットと下ナットの接合部分にねじ孔周囲より軸方向に沿って凹テーパ部と凸テーパ部が形成され、且つ凸テーパ部或いは凹テーパ部の周面にねじ孔に向けて微量な偏心が形成された多重緩み防止ナット装置において、
　該上ナットにそのねじ孔上端周囲より軸方向に沿って凸縁環が形成され、この凸縁環内周下段に一周の係止溝が形成されて、該係止溝に中心の係止孔を具えた緩み防止スチール片が設置されたことを特徴とする、多重緩み防止ナット装置としている。
　請求項２の考案は、請求項１記載の多重緩み防止ナット装置において、上ナットに組み合わされた緩み防止スチール片の上面に底端外周のリップを具えたキャップが設置され、並びに凸縁環の係止溝により位置決めされたことを特徴とする、多重緩み防止ナット装置としている。
　請求項３の考案は、請求項１記載の多重緩み防止ナット装置において、上ナットの底端に外向きにフランジが延伸されて、全周の当接部が形成されたことを特徴とする、多重緩み防止ナット装置としている。
【考案の効果】
【０００７】
　本考案は上ナットと下ナットの自身の締めつけ、及び偏心嵌合押圧力のほか、特に上ナットに緩み防止スチール片が設けられてボルトのねじ部のねじ山斜径に締めつけられることで、多重の緩み防止の機能を発生する。並びにキャップが設置されたことで、怪我や錆、塵を防止する。このほか、上ナットにフランジが設けられて、スリーブレンチに対する当接部が形成され、これにより実際の需要に符合し、産業上の利用できるものとされている。
【考案を実施するための最良の形態】
【０００８】
　本考案は上ナットと下ナットで組成され、上ナットと下ナットの接合部分にそれぞれねじ孔周囲より軸方向に沿って凹テーパ部と凸テーパ部が形成され、並びに凸テーパ部或いは凹テーパ部の周面にねじ孔に向けて微量な偏心が形成された緩み防止ナットにおいて、特に、該上ナットのねじ孔上端周囲より軸方向に沿って凸縁環が形成され、この凸縁環の内周下段に１周の係止溝が形成され、中心の係止孔を具えた緩み防止スチール片が設置されたことを特徴としている。
【０００９】
　好ましい実施例にあって、上ナットの緩み防止スチール片の上面に底端リップを具えたキャップが設置され、並びに凸縁環の係止溝により位置決めされる。
【００１０】
　好ましい実施例にあって、上ナットの底端に外向きにフランジが形成されて、これにより全周の当接部が構成される。
【実施例１】
【００１１】
　図１、２に示されるように、本考案の緩み防止ナットは、偏心嵌合方式の上ナット１０と下ナット２０を具え、この上ナット１０、下ナット２０は六角形に形成可能で、並びに中央に軸方向に上下に貫通するねじ孔１１、２１が設けられて、ボルト５０のねじ部５１との螺合に供される。
【００１２】
　上ナット１０と下ナット２０の接合部分にあって、それぞれねじ孔１１、２１の周囲より軸方向に沿って凹テーパ部１２と凸テーパ部２２が設けられ、並びに凸テーパ部２２（或いは凹テーパ部１２）の周面にねじ孔２１（或いはねじ孔１１）に向けて微量な偏心が形成されている。
【００１３】
　本考案の主要な特徴は以下のとおりである。上ナット１０のねじ孔１１の上端周囲に軸方向に沿って凸縁環１３が形成され（図２、３）、中心の係止孔３１を具えた緩み防止スチール片３０の放置に供され、該係止孔３１内周に二つの相互に対向する係止辺３２が設けられている。上ナット１０の凸縁環１３の上段に内向きに内周リップ１４が加圧加工され、凸縁環１３の内周下段に一周の係止溝１５が形成され、一体式に緩み防止スチール片３０が接合される。
【００１４】
　このほか、上ナット１０の底端に外向きにフランジ１６が形成されて一周の当接部が形成されている。このフランジ１６は上ナット１０の各側面より外向きに延伸され、並びに各角部が円盤状に形成されて、スリーブレンチの底端縁を当接させるのに供される。
【００１５】
　図４、５、６に示される実施例では、上ナット１０は特に増高式の凸縁環１３０が採用されて、緩み防止スチール片３０が放置され、並びに緩み防止スチール片３０の上面に、底端外周のリップ４１を具えたキャップ４０が放置され、その後、内向きに凸縁環１３０が加圧加工されて一体に緩み防止スチール片３０とキャップ４０が固定され、並びにキャップ４０の本体より上向きに上ナット１０が突出している。
【００１６】
　図６に示される初期締めつけ状態にあって、ボルト５０のねじ部５１が二つの被固定部品６０、６１に設けられた対応する貫通孔６２を貫通し、その後、下ナット２０、上ナット１０のねじ孔２１、１１が順にねじ部５１に螺合され、緩み防止スチール片３０がねじ部５１のねじ山斜径に当接する。これら上ナット１０と下ナット２０及びそのねじ孔１１、２１、凹テーパ部１２、緩み防止スチール片３０、キャップ４０、ボルト５０及びそのねじ部５１はいずれも同一中心線Ａとされ、下ナット２０の凸テーパ部２２の中心線ａは偏心に設けられ、これにより中心線Ａと中心線ａが微量の偏心ａ’を形成している。
【００１７】
　即ち、続いて上ナット１０が締められ、即ち偏心の凸テーパ部２２と凹テーパ部１２が強力に押圧して上ナット１０と下ナット２０のねじ孔１１、２１をボルト５０のねじ部５１外周のねじ山斜径に締めつけ、こうして多重の緩み防止機能が達成される。且つキャップ４０は完全にねじ部５１の端縁を遮蔽し、怪我を防止し、また錆や塵を防止する。
【００１８】
　上ナット１０の締めつけ過程で、上ナット１０底端のフランジ１６の形成する全周の当接部がスリーブレンチの当接に供され、スリーブレンチが下ナット２０に套設されて楔形締めつけ効果を発生できなくなるのを防止する。
【図面の簡単な説明】
【００１９】
【図１】本考案の実施例の緩み防止ナットの分解斜視図である。
【図２】図１の上ナットに緩み防止スチール片を組み合わせた斜視図である。
【図３】図２の断面図である。
【図４】図２の上ナットにキャップを加えた斜視図である。
【図５】図４の分解斜視図である。
【図６】本考案の実施例の多重緩み防止ナット装置の初期締めつけ状態図である。
【図７】図６の締めつけ完成状態図である。
【符号の説明】
【００２０】
１０　上ナット　　　　　１１　ねじ孔　　　　　１２　凹テーパ部
１３　凸縁環　　　　　　１４　内周リップ　　　１５　係止溝
１６　フランジ　　　　　１３０　凸縁環
２０　下ナット　　　　　２１　ねじ孔　　　　　２２　凸テーパ部
３０　緩み防止スチール片　　　　３１　係止孔　　３２　係止辺
４０　キャップ　　　　　　　　　４１　リップ
５０　ボルト　　　　　　　　　　５１　ねじ部
６０　被固定部品　　　　　　　　６１　被固定部品
６２　貫通孔　　　　　　　　　　Ａ　中心線
ａ　中心線　　　　　　　　　　　ａ’　微量の偏心
【図１】
0003100027.tif 000003
【図２】
0003100027.tif 000004
【図３】
0003100027.tif 000005
【図４】
0003100027.tif 000006
【図５】
0003100027.tif 000007
【図６】
0003100027.tif 000008
【図７】
0003100027.tif 000009